(57)【要約】【課題】トイレットペーパーをワンタッチで切断でき、しかも片手にて迅速且つ容易にトイレットペーパーを必要の長さに切断できることで手使い勝手が良好となるトイレットペーパーホルダーを提供する。【解決手段】トイレ室内の壁面に取り付ける背板６、ロール状のトイレットペーパーＰを回転自在に保持可能とする側板７それぞれからなるホルダー本体枠１と、該ホルダー本体枠１の下部に回動可能に取り付け、一端に刃部５を有する回転カッター３とを備える。回転カッター３は、これを垂直状態から水平状態に回転することで、刃部５がホルダー本体枠１の背板６内側に押し付るものとする。また、回転カッター３は、一端角部を切除した手押し操作部４を設け、且つ他端には刃部５を形成してなり、この手押し操作部４側が刃部５側よりも軽量であるものとしてなる。【選択図】図１
2009090041.tif 000002
【特許請求の範囲】
【請求項１】
トイレ室内の壁面に取り付けられる背板、ロール状のトイレットペーパーを回転自在に保持可能とする側板それぞれからなるホルダー本体枠と、該ホルダー本体枠の下部に回動可能に取り付けられ、一端に刃部を有する回転カッターとを備え、該回転カッターは、これを垂直状態から水平状態に回転させることで、刃部がホルダー本体枠の背板内側にトイレットペーパーを介在して押し付けられるものとしたことを特徴とするトイレットペーパーホルダー。
【請求項２】
回転カッターは、一端角部が切除された手押し操作部が設けられ、且つ他端には刃部が形成されてなり、この手押し操作部側が刃部側よりも軽量であるものとしてなる請求項１記載のトイレットペーパーホルダー。
【発明の詳細な説明】
【技術分野】
【０００１】
本発明は、トイレットペーパーの切断機構を備えたトイレットペーパーホルダーに関する。
【背景技術】
【０００２】
従来、トイレットペーパーホルダーは、当該ホルダー上部に蓋片状のペーパー押さえが設けられ、このペーパー押さえを片手で押さえながら、他方の手でトイレットペーパーを引きちぎることによって当該トイレットペーパーを必要の長さに切断するものであった。
【特許文献１】特になし
【発明の開示】
【発明が解決しようとする課題】
【０００３】
このように、従来のトイレットペーパーホルダーは、両手を使ってトイレットペーパーを引きちぎるものであるから、トイレットペーパーの切断作業が面倒で使い勝手が良くないという問題点を有していた。
【０００４】
そこで、本発明は、叙上のような従来存した諸事情に鑑み案出されたもので、ペーパー押さえを片手で押さえなくても、ホルダー本体枠下方に引き出されたトイレットペーパーをワンタッチで切断でき、しかも片手にて迅速且つ容易にトイレットペーパーを必要の長さに切断できることで手使い勝手が良好となるトイレットペーパーホルダーを提供することを目的とする。
【課題を解決するための手段】
【０００５】
上述した課題を解決するため、本発明にあっては、トイレ室内の壁面に取り付けられる背板６、ロール状のトイレットペーパーＰを回転自在に保持可能とする側板７それぞれからなるホルダー本体枠１と、該ホルダー本体枠１の下部に回動可能に取り付けられ、一端に刃部５を有する回転カッター３とを備え、該回転カッター３は、これを垂直状態から水平状態に回転させることで、刃部５がホルダー本体枠１の背板６内側にトイレットペーパーＰを介在して押し付けられるものとしたことを特徴とする。
【０００６】
また、回転カッター３は、一端角部が切除された手押し操作部４が設けられ、且つ他端には刃部５が形成されてなり、この手押し操作部４側が刃部５側よりも軽量であるものとしてなるものとすることができる。
【０００７】
以上のように構成された本発明に係るトイレットペーパーホルダーにあって、回転カッター３は、上部の手押し操作部４を指先で押し込んで回転操作させることで当該回転カッター３自体を垂直状態から水平状態とさせる。
【０００８】
このとき、回転カッター３先端の尖った刃部５はトイレットペーパーＰを介在した状態でホルダー本体枠１の背板６内側に押し付けられ、これによってトイレットペーパーＰを切断可能な状態に保持させる。
【０００９】
また、回転カッター３は、手押し操作部４側が刃部５側よりも軽量であることから、指先から解放された回転カッター３自体は常時垂直状態にさせる。
【発明の効果】
【００１０】
本発明によれば、ペーパー押さえ２を片手で押さえなくても、ホルダー本体枠１下方に引き出されたトイレットペーパーＰをワンタッチで切断でき、しかも片手にて迅速且つ容易にトイレットペーパーＰを必要の長さに切断できることで手使い勝手が良好となる。
【００１１】
すなわち、本発明において、回転カッター３は、これを垂直状態から水平状態に回転させることで、刃部５がホルダー本体枠１の背板６内側に押し付けられるものとしたので、回転カッター３先端の尖った刃部５をトイレットペーパーＰを介在した状態でホルダー本体枠１の背板６内側に押し付けてトイレットペーパーＰを保持した状態とすることで、トイレットペーパーＰを必要な長さにワンタッチで且つ迅速に切断することができる。
【００１２】
また、回転カッター３は、一端角部が切除された手押し操作部４が設けられ、且つ他端には尖った刃部５が形成されてなり、この手押し操作部４側が刃部５側よりも軽量であるものとしてなるので、指先から解放された回転カッター３自体は常時垂直状態となり、以後のトイレットペーパーＰの引き出が容易に行える。
【発明を実施するための最良の形態】
【００１３】
以下、図面を参照して本発明を実施するための最良の一形態を説明する。
本発明に係るトイレットペーパーホルダーは、図１に示すように、トイレ室内の壁面に取り付けられる上部にペーパー押さえ２を備えたホルダー本体枠１と、該ホルダー本体枠１の下部に回動可能に取り付けられた回転カッター３とから構成されている。
【００１４】
すなわち、ホルダー本体枠１は、図３に示すように、四隅に形成したネジ孔１ａを介してトイレ室内の壁面に止めネジ１ｂで固定される略矩形板状の背板６と、該背板６の両側から前方に向けて対向状態で突設され、ロール状のトイレットペーパーＰの中心孔に挿通された軸芯材８の両端を回転可能に保持させるペーパー保持用孔部９を備えた側板７とからなる。
【００１５】
そして、ホルダー本体枠１の上部には、円弧状に湾曲したペーパー押さえ２の両端支持突部２ａを回動自在に挿入するためのペーパー押さえ保持用孔部１０が設けられている。このペーパー押さえ２は、ホルダー本体枠１に装着されたトイレットペーパーＰを上方から押さえ込むためのものである。
【００１６】
また、背板６の下部には、前記側板７下側に連設した状態で当該背板６両側から前方に向けて互いに相対向する回転カッター用支持部１１が突設されている。そして、この回転カッター用支持部１１それぞれには、孔部１１ａが設けられ、回転カッター３中央の両端対称箇所に突設した軸部３ａを該孔部１１ａに回転自在に挿着させている。
【００１７】
この回転カッター３は、図１および図３に示すように、板材の一端に角部が切除されて略台形状となった手押し操作部４が設けられ、且つ他端には尖った刃部５が形成されてなり、この手押し操作部４側が刃部５側よりも軽量であることから、図１および図２に示すように、刃部５が常時下方に向く垂直状態となるようにしてある。そして、図４（ａ）（ｂ）に示すようにこの手押し操作部４を指先で押し込んで回転操作させることで垂直状態から水平状態にした際には、刃部５がホルダー本体枠１の背板６内側にトイレットペーパーＰを介在して押し付けられるようにしてある。
【００１８】
次に、以上のように構成された本発明トイレットペーパーホルダーの最良の形態についての使用、動作の一例について説明する。
【００１９】
先ず、トイレットペーパーＰをホルダー本体枠１下方に所望の長さだけ引き出し、ホルダー本体枠１の下部に位置する回転カッター３上部の手押し操作部４を指先で押し込んで９０度だけ回転操作させることで当該回転カッター３自体を垂直状態から水平状態とする。
【００２０】
このとき、図４（ａ）に示すように、回転カッター３先端の尖った刃部５はトイレットペーパーＰを介在した状態でホルダー本体枠１の背板６内側に押し付けられ、これによってトイレットペーパーＰは保持される。
【００２１】
こうしておいて、トイレットペーパーＰ下端を手前に引っ張ると当該トイレットペーパーＰが切断される。そして、切断後には、指先から手押し操作部４を離せば、手押し操作部４側が刃部５側よりも軽量であるため、図１および図２に示すように、回転カッター３自体が垂直状態となり、以後のトイレットペーパーＰの引き出しが可能となる。
【００２２】
尚、回転カッター３の回転方向は、当該回転カッター３上部の手押し操作部４を指先で手前に引いても、あるいは、図４（ｂ）に示すように、刃部５側を手前に引いて２７０度回転させても切断可能としてあり、要するに、回転カッター３をホルダー本体枠１の背板６内側にトイレットペーパーＰを介在して押し付けられるのであれば良い。
【図面の簡単な説明】
【００２３】
【図１】本発明を実施するための最良の形態におけるトイレットペーパーホルダーの使用状態を示す斜視図である。
【図２】同じく中央縦断面図である。
【図３】同じくトイレットペーパーホルダーの分解斜視図である。
【図４】同じくトイレットペーパーホルダーの回転カッターの使用状態を示し、（ａ）は手押し操作部を指先で手前に引いて９０度だけ回転操作させた状態の中央縦断面図、（ｂ）は刃部側を手前に引いて２７０度回転させた状態の中央縦断面図である。
【符号の説明】
【００２４】
Ｐ      トイレットペーパー
１      ホルダー本体枠
１ａ    ネジ孔
１ｂ    止めネジ
２      ペーパー押さえ
２ａ    支持突部
３      回転カッター
３ａ    軸部
４      手押し操作部
５      刃部
６      背板
７      側板
８      軸芯材
９      ペーパー保持用孔部
１０    ペーパー押さえ保持用孔部
１１    回転カッター用支持部
１１ａ  孔部
【図１】
2009090041.tif 000003
【図２】
2009090041.tif 000004
【図３】
2009090041.tif 000005
【図４】
2009090041.tif 000006